(57)【特許請求の範囲】
【請求項１】
複数の交換主装置にＩＰ網を介して接続されるＩＰ通信端末であって、
前記複数の交換主装置と通信する際に使用するポートを可変にして登録する主装置登録手段と、
発信する際に前記主装置登録手段によって登録されている複数の交換主装置のうち、使用する一の交換主装置を選択して発信する発信制御手段と、
着信の際にどの交換主装置からの着信かを判定して着信処理を行う着信制御手段と、
ラインキーに割り付けられた複数の交換主装置に対するボタンのランプ制御を実行するラインキー制御手段と、
を備えたことを特徴とするＩＰ通信端末。
【請求項２】
前記着信制御手段は、接続する複数の交換主装置に優先順位を割り付け、同時着信の際に優先順位の高い交換主装置からの着信を優先することを特徴とする請求項１に記載のＩＰ通信端末。
【請求項３】
前記着信制御手段は、通話中に他の交換主装置からの着信があった場合に、通話中状態を前記他の交換主装置に通知すると共に、前記他の交換主装置からの状態通知に従ってラインキーに着信表示を行うことを特徴とする請求項１または２に記載のＩＰ通信端末。
【請求項４】
複数の交換主装置と、各交換主装置とＩＰ網を介して接続するＩＰ通信端末との通信制御方法であって、
前記ＩＰ通信端末では、複数の交換主装置と通信する際に使用するポートを交換主装置ごとに変えて登録し、該登録したポートを用いて各交換主装置と通信を行い、発信する際には登録されている複数の交換主装置のうち、使用する一の交換主装置を選択して発信し、着信の際にはポートをもとにどの交換主装置からの着信かを判定して着信処理を行い、ラインキーに割り付けられた複数の交換主装置に対するボタンのランプ制御を実行し、通信中に他の交換主装置からの着信があった場合はユーザによって指定された通知情報を前記他の交換主装置へ送信し、
前記他の交換主装置では、前記ＩＰ通信端末から送信されてきた前記通知情報を発信元のＩＰ通信端末へ転送することを特徴とする通信制御方法。
【請求項５】
ＩＰ網を介して複数の交換主装置と通信するＩＰ通信端末上で動作するプログラムであって、
前記複数の交換主装置と通信する際に使用するポートを可変にして登録する主装置登録処理と、
発信する際に前記主装置登録処理によって登録されている複数の交換主装置のうち、使用する一の交換主装置を選択して発信する発信制御処理と、
着信の際にどの交換主装置からの着信かを判定して着信処理を行う着信制御処理と、
ラインキーに割り付けられた複数の交換主装置に対するボタンのランプ制御を実行するラインキー制御処理と、
をコンピュータに実行させることを特徴とするＩＰ通信プログラム。
【発明の詳細な説明】
【技術分野】
【０００１】
本発明は、ＩＰ網を介して互いに通信を行うＩＰ釦電話機等のＩＰネットワーク対応通信端末（以下、ＩＰ通信端末という。）に関する通信技術に係り、特に複数の交換主装置（交換用サーバともいう。）と同時に通信でき、種々のサービス機能を実行することのできるＩＰ通信端末、通信制御方法およびプログラムに関する。
【背景技術】
【０００２】
従来、構内交換機（PBX: Private Branch Exchange）あるいはボタン電話機・キーテレフォンなどの交換主装置は、専用線などを用いて接続し、その専用線上に独自のプロトコルを用いて独自の網を構成し、そのように構成された網を経由して通信を行うことでサービスを提供していた。また、ＩＰ（Internet Protocol）網が整備されてからは、交換主装置は、ＩＴＵ（International Telephony Union）またはＩＥＴＦ（Internet Engineering Task Force）などにより提供される国際的な統一規格である、Ｈ．３２３、ＳＩＰ（Session Initiation Protocol）、ＭＧＣＰ（Media Gateway Control Protocol）などに準拠してＩＰ網を用いたネットワークサービスを提供するようになった。
【０００３】
また、交換主装置としての機能を有するサーバの冗長化に対応するために、複数のサーバに登録可能なＩＰ通信端末は存在しても、同時に複数のサーバに接続して通信可能なネットワーク対応の通信端末は無く、このため、１台の通信端末で同時に複数のサーバの端末として使い分けることはできず、使い分けを行う場合は他のサーバに登録し直すか、もしくは他のＩＰネットワーク対応通信端末を設置しなければならず、煩雑となり且つスペースも必要になり不便であった。
【０００４】
一方、通信端末を複数のＳＩＰサーバに登録する技術としては、特許文献１では、発信する際に優先順位の高いＳＩＰサーバが使用できない場合は次の優先順位の高いＳＩＰサーバを用いて発信を行うという技術が提案されている。
また、特許文献２では、交換サーバが他の交換サーバの管理しているゲートウェイを自由に利用できる電話交換システムが提案されている。
【０００５】
しかしながら、これらの特許文献に記載されている技術は、複数のサーバを同時に使用して通信を行うものではない。
【特許文献１】特開２００６−２３７９５０号公報
【特許文献２】特開２００５−３３３４４０号公報
【発明の開示】
【発明が解決しようとする課題】
【０００６】
本発明は、上述のかかる事情に鑑みてなされたものであり、１台のＩＰ通信端末に複数の交換主装置を同時登録して、使用者に対して種々のサービスを提供でき、利便性を向上させることのできるＩＰ通信端末、通信制御方法およびプログラムを提供することを目的とする。
【課題を解決するための手段】
【０００７】
上記目的を達成するため、本発明に係わるＩＰ通信端末は、複数の交換主装置にＩＰ網を介して接続されるＩＰ通信端末であって、複数の交換主装置と通信する際に使用するポートを可変にして登録する主装置登録手段と、発信する際に主装置登録手段によって登録されている複数の交換主装置のうち、使用する一の交換主装置を選択して発信する発信制御手段と、着信の際にどの交換主装置からの着信かを判定して着信処理を行う着信制御手段と、ラインキーに割り付けられた複数の交換主装置に対するボタンのランプ制御を実行するラインキー制御手段と、を備えたことを特徴とする。
【０００８】
本発明によれば、ＩＰ通信端末側で各交換主装置と接続する際のポートを可変にするので、同時に複数の交換主装置と接続することができる。なお、交換主装置側は同じポートを用いることによって交換主装置側の交換機能に修正を加えることなく各ＩＰ通信端末と接続することができる。このため既存の交換主装置を用いたシステムで容易にＩＰ通信端末の付加サービスの提供が可能となる。
【０００９】
好ましくは、着信制御手段は、接続する複数の交換主装置に優先順位を設け、同時着信の際に優先順位の高い交換主装置からの着信を優先するように構成する。
本発明によれば、優先順位に従って複数の交換主装置から同時着信があった場合に自動的に優先度の高いものからの着信を受け付け、優先度の低い着信に対しては該当のランプに着信を知らせる、またはビジー音を聴取させるなどのサービスを提供することができる。更には、ランプに着信した場合は現在の通話を保留し新たな着信に応答するなどのサービスを提供することができる。
【００１０】
更に好ましくは、着信制御手段は、通話中に他の交換主装置からの着信があった場合に、通話中状態を他の交換主装置に通知し、他の交換主装置からの状態通知に従ってラインキーに着信表示を行うに構成する。
本発明によれば、通話中の他の交換主装置からの着信時にランプ表示により着信を受け付けることができるので、通話中の呼を保留し新たな呼に応答するなどのサービスを提供することができる。
【００１１】
なお、発信時においても優先順位の高い交換主装置を通して発信先のＩＰ通信端末との通信要求を行い、既に当該交換主装置と発信先のＩＰ通信端末とが接続中の場合は、次に優先順位の高い交換主装置を介して当該発信先のＩＰ通信端末との通信要求を行うようにすると良い。これによって、発信元のＩＰ通信端末は、発信先のＩＰ通話端末への着信を知らせることができ、また発信先の通話状態を常に取得することができる。
【００１２】
上記目的を達成するため、本発明に係わる通信制御方法は、複数の交換主装置と、各交換主装置とＩＰ網を介して接続するＩＰ通信端末との通信制御方法であって、ＩＰ通信端末では、複数の交換主装置と通信する際に使用するポートを交換主装置ごとに変えて登録し、該登録したポートを用いて各交換主装置と通信を行い、発信する際には登録されている複数の交換主装置のうち、使用する一の交換主装置を選択して発信し、着信の際にはポートをもとにどの交換主装置からの着信かを判定して着信処理を行い、ラインキーに割り付けられた複数の交換主装置に対するボタンのランプ制御を実行し、通信中に他の交換主装置からの着信があった場合はユーザによって指定された通知情報を他の交換主装置へ送信し、他の交換主装置では、ＩＰ通信端末から送信されてきた通知情報を発信元のＩＰ通信端末へ転送することを特徴とする。
【００１３】
本発明では、異なるポートを用いて複数の交換主装置と接続し、通話中に他のＩＰ通信端末から着信があった場合は、発信元のＩＰ通信端末の電話番号等の情報を取得すると共にボタンに対応して予め設定された通知情報を、当該ボタンの押下によって発信元のＩＰ通信端末へ送信する。
【００１４】
上記目的を達成するため、本発明に係わるＩＰ通信プログラムは、ＩＰ網を介して複数の交換主装置と通信するＩＰ通信端末上で動作するプログラムであって、複数の交換主装置と通信する際に使用するポートを可変にして登録する主装置登録処理と、発信する際に主装置登録処理によって登録されている複数の交換主装置のうち、使用する一の交換主装置を選択して発信する発信制御処理と、着信の際にどの交換主装置からの着信かを判定して着信処理を行う着信制御処理と、ラインキーに割り付けられた複数の交換主装置に対するボタンのランプ制御を実行するラインキー制御処理と、をコンピュータに実行させることを特徴とする。
【発明の効果】
【００１５】
本発明によれば、ＩＰ網上に存在するＩＰ対応交換主装置対応のＩＰ通信端末として同時に複数の交換主装置を介した発着信が可能となるので、机上に複数の通信端末を置くために必要な場所を節約することができる。更に同時に複数の交換主装置からの着信や、通話中時の着信に対応することが可能であるため、２台の通信端末を置いて対応する場合には不可能であるラインボタン押下による自動保留で通話相手を替えたりするようなサービスを提供することが可能となる。
【発明を実施するための最良の形態】
【００１６】
以下、本発明の実施の形態を説明する。図１は、本発明の実施の形態によるＩＰ通信端末を含む通信システム全体の概略構成図である。本実施の形態によるＩＰ通信端末１は、ＩＰ網３を介して複数のＩＰ対応交換主装置（以下、「交換主装置」という。）２に接続されている。交換主装置２は、例えばＳＩＰサーバであったり、Ｈ．３２３、ＭＧＣＰをサポートするサーバであっても良い。交換主装置２はＩＰ網３と音声通信及びデータ通信を行う送受信部２１、交換制御を行う制御部２２１を含む中央演算処理部２２、全ての音声の通り道であるＨＷＹ２３、外部接続先の一つであるＩＰネットワークとのインターフェースであるＩＰトランク２４及び既存のアナログの交換網４とのインターフェースである局線トランク２５より構成されている。
【００１７】
図２に、本発明の実施の形態によるＩＰ通信端末１の機能ブロック図を示す。図２において、ＩＰ通信端末１は、ＩＰ網３を介して交換主装置２と相互に通信可能に構成されている。ここで、交換主装置２は、ＳＯＨＯ、小さな会社から日本中に拠点が存在するような大会社などに電話サービスを提供し、運営を行っている会社、または電話サービス事業者など、もしくは会社独自で管理、運営される。
【００１８】
ＩＰ通信端末１は、ＩＰ網３を介してデータの送受信を行うための送受信部１１、送受信部１１から受け取ったデータの処理、およびその他の種々の処理を行う中央演算処理部１２、データを記憶するための記憶部１４、および、中央演算処理部１２との間でデータの入出力などに操作を行う操作部１５と内部データなど表示を行う表示部１６から構成されている。操作部１５と表示部１６はマンマシンインターフェースの機能を有する部分である。送受信部１１は通信プロトコルの機能を有する部分である。
【００１９】
送受信部１１は、更に音声の送受信インターフェースである音声インターフェース１１１、音声呼などの制御を行う呼制御用のパケットのインターフェースを有する呼制御インターフェース１１２から構成されている。
【００２０】
さらに、中央演算処理部１２は、操作部１５あるいは表示部１６とデータの受け渡しを行う入出力制御部１２１、音声の送受信の制御を行う音声制御部１２２、呼制御を司る呼制御部１２３、送受信部１１との間でデータの受け渡しを行う送受信処理手段１２４、接続する交換主装置２に対して空ポート検索し、検索したポートを通信に使用するために登録する活性化手段１２５、ＩＰ通信端末１が有するラインキーのＬＥＤにどの交換主装置２を登録するかを決定するラインキー・ＬＥＤ登録手段１２６、および、使用する交換主装置２を登録する主装置登録手段１２７から構成されている。
【００２１】
また、呼制御部１２３はその内部に、ラインキーを押下した場合または受話器をあげた場合に起動する発信制御手段１３０、ＩＰ網３を経由して着信が有った場合に着信の制御を行う着信制御手段１３１、ラインキー、各種ボタンが押下されたときにボタンの制御を行うラインキー・ＬＥＤ制御手段１３２を有している。中央演算処理部１２の各手段１２１〜１３３はＣＰＵの機能としてプログラムによって実現可能である。
【００２２】
図３は、ＩＰ通信端末１が接続する交換主装置２に対して優先順位を設けて登録しているシステム登録ＤＢ１４１のデータ構成図である。システム登録ＤＢ１４１には、複数の登録される交換主装置２のＩＤ番号と、図中Ｍａｉｎ、Ｓｕｂ番号で表現されている優先順位が格納され、更に各々の交換主装置２に対して、主装置名、ドメイン名及びＩＰアドレスなどが登録されるように構成されている。
【００２３】
図４は、接続する交換主装置２に対して使用するポートの情報を格納するポート登録ＤＢ１４２のデータ構成図である。接続先の交換主装置２のＩＤ番号と使用するポートの番号が１対１で格納されている。
【００２４】
図５は、ラインキー対応に登録される交換主装置２を登録するＬＥＤ登録ＤＢ１４３のデータ構成例を示している。ＬＥＤのＩＤ番号と登録される交換主装置２のＩＤ番号が１対１に関連付けられている。
【００２５】
図６は、ラインキー毎に登録される交換主装置２とそのラインキー種別を登録するラインキー登録ＤＢ１４４のデータ構成図である。ラインキーは、ＩＤ番号をそれぞれ有し、そのＩＤ番号ごとに接続する交換主装置２のＩＤ及びラインキー種別が登録されている。
【００２６】
図７は、交換主装置２とＩＰ通信端末１が呼制御、ライン制御、ランプ制御などの制御信号として使用するメッセージを登録するメッセージ登録ＤＢ１４５のデータ構成例を示す。メッセージ毎に、メッセージＩＤ、メッセージ名及びメッセージの内容詳細が登録されている。本実施の形態ではメッセージの内容詳細も格納しているがメッセージ内容詳細は特に必要ではなく、メッセージによるイベントが発生した際にどのようなイベントであるのかを判断する規定として参照するためのテーブルとして用いるようにしても良い。
【００２７】
以上は、記憶部内に格納される内部データ及びデータベースについて記載したが、次に各手段（機能）について以下に説明する。図８及び図９は、使用する交換主装置２を登録する主装置登録手段１２７が行う「主装置登録ルーチン」の動作の処理手順を示すフローチャート及び登録画面の例である。画面情報はＩＰ通信端末１の表示部１６に出力される。
【００２８】
「主装置登録ルーチン」は起動するとまず、システム登録ＤＢ１４１より現在のデータを取得し（Ｓ８１）、画面に出力する（Ｓ８２）。そして、入力者の入力（Ｓ８３）に従い分岐処理を実行する（Ｓ８４）。入力内容が「決定」の場合、システム登録ＤＢ１４１に選択内容を登録する（Ｓ８５）。入力内容が「カーソルキー」の場合、指定の方向にカーソルを動かす（Ｓ８６）。入力内容が「終了」の場合、元の画面に戻り（Ｓ８７）、終了画面をＬＣＤに表示し処理を終了する（Ｓ８８）。ＬＣＤの画面は、画面枠Ｆ９１内に、カーソルキーＦ９２と交換主装置２の選択内容Ｆ９３が表示されており、カーソルキーＦ９２で交換主装置を選択することによって優先順位と共に登録される。
【００２９】
図１０、図１１及び図１２は、使用する交換主装置２を登録するラインキー・ＬＥＤ登録手段１２６が行う「ラインキー・ＬＥＤ登録ルーチン」の動作の処理手順を示すフローチャート及び登録画面の例である。画面情報はＩＰ通信端末１の表示部１６に出力される。
【００３０】
「ラインキー・ＬＥＤ登録ルーチン」は起動するとまず、ＬＥＤ登録ＤＢ及びラインキー登録ＤＢ１４２より現在のデータを取得し（Ｓ１０１）、画面に出力する（Ｓ１０２）。入力者の入力（Ｓ１０３）に従い分岐する（Ｓ１０４）。入力内容が「決定」の場合、ＬＥＤ登録ＤＢ１４３及びラインキー登録ＤＢ１４４に選択内容を登録（Ｓ１０５）。入力内容が「カーソルキー」の場合、指定の方向にカーソルを動かす（Ｓ１０６）。入力内容が「終了」の場合、元の画面に戻り（Ｓ１０７）、終了画面をＬＣＤに表示し処理を終了する（Ｓ１０８）。ＬＣＤの画面は、図９に示す主装置登録画面例と同様であり、画面枠Ｆ９１内に、カーソルキーＦ１１１にて交換主装置２の選択内容Ｆ１１２が表示されている。
【００３１】
図１３、図１４及び図１５は、使用する交換主装置２を検索し、ポートの調査を行い、接続する交換主装置２に対するポートを登録する活性化手段１２５が行う「活性化ルーチン」の動作の処理手順を示すフローチャート、ポートの検索を行うサブルーチンである「ポート検索ルーチン」及びその時のシーケンスチャートの例である。
【００３２】
「活性化ルーチン」は電源ＯＮ（Ｓ１３１）にて起動するとまず、接続する交換主装置２が存在するかどうかをシステム登録ＤＢ１４１を検索して判定する（Ｓ１３２）。交換主装置２が登録されている場合は、ポートの空塞状況を調査するため「ポート検索処理ルーチン」を起動する（Ｓ１３３）。ポートが見つかった場合は、該当の交換主装置２に同ポートを用いて接続する（Ｓ１３４）。ステップＳ１３３及びステップＳ１３４のステップをシステム登録ＤＢ１４１に登録されている交換主装置２の数だけ行い（Ｓ１３５）、ステップＳ１３６へ進む。
【００３３】
次に、接続されている交換主装置２の数の表示データを取得し（Ｓ１３６〜Ｓ１３８）、接続されている交換主装置２の表示をＬＣＤに対して行い（Ｓ１３９）処理を終了する。図１４，図１５において、「ポート検索処理ルーチン」は、ポート番号１０２５から６５５３５の間（Ｓ１４１ａ，Ｓ１４１ｂ）、ポートに空きがあるかを検索（Ｓ１４２、ステップＳ１５１ａ，Ｓ１５１ｂ）し、セッションが確立し（Ｓ１５２ａ，Ｓ１５２ｂ）、空きが見つかったポート番号を選択し出力（Ｓ１４３）し、該ポート番号を用いて対応する交換主装置２にＩＰ通信端末１のＩＰの登録要求を行う（Ｓ１５３ａ，Ｓ１５３ｂ）。その後、対応する交換主装置２からＩＰ登録完了メッセージを受信した（Ｓ１５４ａ，Ｓ１５４ｂ）後に交換主装置２間で登録完了状態となり（Ｓ１５５ａ，Ｓ１５５ｂ）、次に対応する交換主装置２側からランプ・ＬＣＤ情報メッセージを受信することで処理を終了する（Ｓ１５６ａ，Ｓ１５６ｂ）。
【００３４】
図１６は、発信制御手段１３０が行う発信から通話までのシーケンスチャートの例である。使用者がラインキーを押下したり、受話器を上げたりすることでＩＰ通信端末１は、「キー情報通知」メッセージを対向の交換主装置２に送信する（Ｓ１６１）。交換主装置２は、「キー情報通知」メッセージより「端末のキー押下と解放を通知」の中のキー押下と認識する。交換主装置２は次にＩＰ通信端末１に対してリンガーを送出するように「鳴動形態表示」メッセージを送信する（Ｓ１６２）。
【００３５】
次に交換主装置２は、呼状態に変化があったため、「呼状態通知」メッセージをＩＰ通信端末１に通知する（Ｓ１６３）。ＩＰ通信端末１は「呼状態通知」の受信によりダイヤルトーンの聴取などの制御を行うことができる。更に、ユーザが数字ボタンを押下すると、「キー情報通知」メッセージを交換主装置２に送信する（Ｓ１６４）。全ての番号を受信した後に交換主装置２は「鳴動形態表示」をＩＰ通信端末１に送信する（Ｓ１６５）ことでＩＰ通信端末１はリングバックトーンなどをユーザに聴取させる。
【００３６】
次に、着信側の交換主装置２に通信端末が応答することで呼状態に変化があると、交換主装置２は、「呼状態通知」メッセージを送信（Ｓ１６６）してＩＰ通信端末１に通知し、着信側の応答により、トーンの送出を停止するなどのために「鳴動形態表示」メッセージを送出する（Ｓ１６７）。この際ＩＰ通信端末１側でトーンの制御などを行っている場合は、ＩＰ通信端末１がトーン制御を行う。その後、交換主装置２とＩＰ通信端末１通話中状態に遷移する（Ｓ１６８）。
【００３７】
図１７は、発信制御手段１３０または着信制御手段１３１が行う通話中（Ｓ１７１）からの切断シーケンスチャートの例である。通話中からＩＰ通信端末１のユーザが受話器を置いたもしくはキー押下により呼を切断した場合、ＩＰ通信端末１は「キー情報通知」メッセージを交換主装置２に送信する（ステップ１７２）。
【００３８】
「キー情報通知」メッセージにより切断を認識した交換主装置２は、切断状態に呼状態を変更し、ＩＰ通信端末１に状態変更の通知を行うために「呼状態通知」メッセージを送信し（Ｓ１７３）、端末内部の通話路スイッチを制御するために「通話路情報」メッセージをＩＰ通信端末に送信する（Ｓ１７４）。「呼状態通知」、「通話路情報」メッセージを受信したＩＰ通信端末１は通話路の制御やＬＣＤの制御などを行い、空状態に遷移する。
【００３９】
図１８は、着信制御手段１３１が行う通常の着信における動作のシーケンスチャートの例である。交換主装置２の他の通信端末が本ＩＰ通信端末１へ発信した場合、交換主装置２は、ＩＰ通信端末１に「鳴動形態表示」メッセージを送信することで着信を通知する（Ｓ１８１）。更に「ランプ・ＬＣＤ情報」メッセージを送信することでＩＰ通信端末１の対応するランプ及びＬＣＤの表示及びリンガー鳴動などにて着信が有っていることを端末のユーザに知らせる（Ｓ１８２）。
【００４０】
ＩＰ通信端末１のユーザが受話器を上げて応答するもしくは対応するラインキーを押下することによって応答すると、ＩＰ通信端末１は「キー情報通知」メッセージを交換主装置２に送信することによって応答したことを交換主装置２に通知し（Ｓ１８３）、「鳴動形態表示」メッセージを送信することによって（Ｓ１８４）、リンガー停止などの情報を通知し、「呼状態表示」メッセージの送信にて（Ｓ１８５）、ＩＰ通信端末１が通話中状態に遷移したことを交換主装置２に通知する（Ｓ１８６）。
【００４１】
図１９及び図２０は、ＩＰ通信端末１が通話中状態の時に着信が有った場合の着信制御部１３１が行う処理のシーケンスチャートの例及びラインキーの表示例である。本実施形態では、図２０において、ラインキーの枠（Ｆ２０１）の上部一列（Ｆ２０２）は図１９に記載の交換主装置Ａに割り付けているラインキーであり、６つのラインキー（Ｆ２０５）が登録されている。下部一列（Ｆ２０３）は図１９に記載の交換主装置Ｂに割り付けているラインキーであり、同様に６つのラインキー（Ｆ２０６）が登録されている。
【００４２】
上記構成において、交換主装置ＡがＩＰ通信端末１と通話中の場合、該当のラインキー（Ｆ２０５）が例えば緑色点灯している。ＩＰ通信端末１が通話中状態（Ｓ１９１ａ）の時に、別の交換主装置Ｂより着信が有った場合に、ＩＰ通信端末１は現在通話中であることを「通話状態通知」メッセージを発信側の交換主装置Ｂに通知する（Ｓ１９１ｂ）。
【００４３】
交換主装置Ｂは、着信が有っていることを通知するために「鳴動形態表示」メッセージをＩＰ通信端末１に送信する（Ｓ１９２ｂ）。この通知によりＩＰ通信端末１は交換主装置Ｂの対応するラインキー（Ｆ２０６）を赤色点滅させる。さらに交換主装置Ｂは、ステップＳ１９３ｂにおいて、「ランプ・ＬＣＤ情報」メッセージを送信することで着信させたいＩＰ通信端末１のランプもしくはＬＣＤに表示を促す。ユーザは、ランプやＬＣＤの状態により通話中に着信があったことを認識することができる。
【００４４】
図２１及び図２２は、ＩＰ通信端末１に対して交換主装置Ａ及び交換主装置Ｂから同時に着信がある場合に着信制御部１３１が行う処理のフローチャート及びシーケンスチャートの例である。本実施の形態の場合は、交換主装置ＡがシステムＤＢ１４１内で最優先順位を有するものとする。図２１及び図２２を用いて同時着信が発生した場合について以下に説明する。
【００４５】
同時着信が発生した場合、両交換主装置Ａ、Ｂは、ＩＰ通信端末１に対して着信を知らせる「鳴動形態表示」メッセージを同時に送信し（Ｓ２２１ａ，Ｓ２２１ｂ）、更に着信ＩＰ通信端末１のランプ制御及びＬＣＤ制御を行うためにＩＰ「ランプ・ＬＣＤ情報」メッセージを同時に送信する（Ｓ２２２ａ，Ｓ２２２ｂ）。同時に「鳴動形態表示」メッセージを受信（Ｓ２１１）したＩＰ通信端末１は、発信元が最優先であるメインシステムかどうかを判定し（Ｓ２１２）、発信元交換主装置がメインシステムでない場合は（Ｓ２１２，Ｓ２１５）、着信ユーザが応答した時にオフフックを通知するための「通話状態通知」メッセージを交換主装置Ｂに送信して（Ｓ２１７，Ｓ２２３ｂ）処理を終了する。
【００４６】
発信元交換主装置がメインシステムであると判断（Ｓ２１２）した場合ＩＰ通信端末１は、着信鳴音を行い（Ｓ２１３）、ユーザの釦押下（応答）操作（Ｓ２１４）により、「キー情報通知」メッセージをメインシステムである交換主装置Ａに通知する（Ｓ２２３a）。交換主装置Ａは「キー情報通知」メッセージ受信により、「鳴動形態表示」メッセージをＩＰ通信端末１に送信して応答後に行うべき動作を指定し（Ｓ２２４ａ）、ＩＰ通信端末１は、発信元交換主装置がメインシステムの場合は（Ｓ２１５）、「鳴動形態表示」メッセージ受信により、「呼状態通知」メッセージにて着側ユーザが応答し通話状態に入ることを交換主装置Ａに通知し（Ｓ２１６，Ｓ２２５ａ）、通話状態になる（Ｓ２２６ａ）。
【００４７】
図２３は、交換主装置２とＩＰ通信端末１がＩＰ網３にて通信する場合に使用するポートの使用方法を示している。交換主装置であるシステムＡ（Ｆ２３１）及びシステムＢ（Ｆ２３２）とＩＰ通信端末１（Ｆ２３３）間の通信は、システムＡ（Ｆ２３１）側はポートが５００００番ポートで、ＩＰ通信端末Ｆ２３３側は２０００番ポートであり、システムＢ（Ｆ２３２）側はポートが５００００番ポートで、ＩＰ通信端末Ｆ２３３側は１５６７番ポートを用いて通信を行うことを示している。前記２０００番ポート及び１５６７番ポートは前記活性化手段１２６が起動するポート検索ルーチンにて取得するものである。
【００４８】
図２４は、交換主装置２とＩＰ通信端末１が行う、ランプ・ＬＥＤ制御の動作を説明するものである。例えば、交換主装置Ｆ２４１が、ＩＰ通信端末Ｆ２４２と通信を行う場合に、ＩＰ通信端末Ｆ２４２にて、ユーザが押下したラインキー８がどの交換主装置であるかを内部のデータであるシステム登録ＤＢ１４１を判定して決定し、押下されたラインキーは、ラインキー登録ＤＢ１４４を検索してキー種別ＬＫ２を取得することを示している（Ｆ２４４、Ｆ２４６）。
また、交換主装置Ｆ２４１からのランプに関するメッセージであるＬＫ２を受信したＩＰ通信端末Ｆ２４２は、同様にラインキー登録ＤＢ１４４を検索することでラインキーの８番を点灯させることが分かる（Ｆ２４３、Ｆ２４５）。
【００４９】
図２５は、ＩＰ通信端末１にてユーザが押下したキーシステムに通知する「キー通知ルーチン」のフローチャートの例である。オフフック後に（Ｓ２５１）、ユーザが押下したキーは、図示していない変換テーブルを参照することで取得し（Ｓ２５２）、システム（交換主装置）に取得したキーの通知を行う（Ｓ２５３）。
【００５０】
図２６は、ＩＰ通信端末１が接続する複数の交換主装置２の優先順位を切り替える「システム切替ルーチン」の動作のフローチャートの例である。
【００５１】
ユーザがＩＰ通信端末１の特殊なキー、もしくは予めを決められたキーを押下することによって優先順位の変更を行う（Ｓ２６１）。次にＩＰ通信端末１内のシステム登録ＤＢ１４１内のデータを更新する（Ｓ２６２）。次に、ＩＰ通信端末１に接続している全ての交換主装置２に対して画面表示させるためのＬＣＤデータを検索する（Ｓ２６３ａ，Ｓ２６３ｂ）。この時、メインシステム（優先順位が１番目）の場合のみＬＣＤデータを表示し（Ｓ２６４，Ｓ２６５）、処理を終了する。
本発明の実施の形態によるＩＰ通信端末は以上のように構成され動作する。
【００５２】
本発明によれば、複数の交換主装置に収容される１端末として本ＩＰ通信端末を動作させることができるため、机上での確保場所も節約でき、通信中の着信、同時着信も一方の着信を切断することなく保留することも可能となり、更に保留した回線に対しサービスを行うこともできる。
【００５３】
次に本実施の形態によるＩＰ通信システムの適用例を説明する。図２７は、マルチ秘書代行システムのシステム構成図である。マルチ秘書代行を行う経営者の家（秘書）Ｆ２７４と、秘書代行を行う事務所Ａ、Ｂ、ＣであるＦ２７１、Ｆ２７２及びＦ２７３がＩＰ網３を経由して互いに接続されている。各事務所等Ｆ２７１〜２７４にはＩＰ通信端末１が設置されており、ＩＰ網３に接続されている図示しない交換主装置２を介して通話可能になっている。本マルチ秘書代行システムでは、事務所Ａ、Ｂ、Ｃへの電話を秘書Ｆ２７４のＩＰ通信端末１のラインキーに割付ける。
【００５４】
これにより、１台のＩＰ通信端末１によって複数の会社の着信代行が可能となり、通話中であっても着信すなわち端末接続させ、通話状態を通知したり、ボタン操作で予めボタンに割り付けられた情報を発信させることによって必要な情報を相手側へ送信することができる。
【産業上の利用可能性】
【００５５】
交換主装置の端末としての利用が可能である。
【図面の簡単な説明】
【００５６】
【図１】本発明の実施の形態によるＩＰ通信システムの構成図である。
【図２】本発明の実施の形態によるＩＰ通信端末の機能ブロック図である。
【図３】図２のシステム登録ＤＢのデータ構成図である。
【図４】図２のポート登録ＤＢのデータ構成図である。
【図５】図２のＬＥＤ登録ＤＢのデータ構成図である。
【図６】図２のラインキー登録ＤＢのデータ構成図である。
【図７】図２のメッセージ登録ＤＢのデータ構成図である。
【図８】図２の主装置登録手段が行う主装置の選択・登録処理の手順を示すフローチャートである。
【図９】本発明の実施の形態による主装置登録画面の説明図である。
【図１０】図２のラインキー・ＬＥＤ登録手段が行う処理手順を示すフローチャートである。
【図１１】本発明の実施の形態によるラインキー・ＬＥＤ登録画面例（その１）である。
【図１２】本発明の実施の形態によるラインキー・ＬＥＤ登録画面例（その２）である。
【図１３】図２の活性化手段の処理手順を示すフローチャートである。
【図１４】図２の活性化手段が起動するポート検索処理ルーチンの処理手順を示すフローチャートである。
【図１５】図２の活性化手段が行う処理のシーケンスチャートである。
【図１６】図２の発信制御手段が行う処理のシーケンスチャートである。
【図１７】図２の発信制御手段及び着信制御手段が行う切断の際の処理のシーケンスチャートである。
【図１８】図２の着信制御手段が行う着信時のシーケンスチャートである。
【図１９】図２の着信制御手段が行う通話中での着信時のシーケンスチャートである。
【図２０】本発明の実施の形態における発着信時のラインキーの状態を示す説明図である。
【図２１】図２の着信制御手段が行う着信時の処理の処理手順を示すフローチャートである。
【図２２】図２の着信手段が行う同時着信の場合のシーケンスチャートである。
【図２３】本発明の実施の形態におけるポートの使用状況を示す説明図である。
【図２４】本発明の実施の形態におけるラインキーの制御の説明図である。
【図２５】本発明の実施の形態によるキー通知の処理手順を示すフローチャートである。
【図２６】本発明の実施の形態によるシステムの切り替えの処理手順を示すフローチャートである。
【図２７】本発明の実施の形態によるＩＰ通信システムを適用したサービス例としてのマルチ秘書代行システムの構成図である。
【符号の説明】
【００５７】
１  ＩＰ通信端末
２  ＩＰ対応交換主装置
３  ＩＰ網
１１  送受信部
１２  中央演算処理部
１４  記憶部
１５  操作部
１６  表示部
１１１  音声インターフェース
１１２  呼制御インターフェース
１２１  入出力制御部
１２２  音声制御部
１２３  呼制御部
１２４  送受信処理手段
１２５  活性化手段
１２６  ラインキー・ＬＥＤ登録手段
１２７  主装置登録手段
１３０  発信制御手段
１３１  着信制御手段
１３２  ラインキー・ＬＥＤ制御手段（ラインキー制御手段）
１４１  システム登録データベース（ＤＢ）
１４２  ポート登録データベース（ＤＢ）
１４３  ＬＥＤ登録データベース（ＤＢ）
１４４  ラインキー登録データベース（ＤＢ）
１４５  メッセージ登録データベース（ＤＢ）
【図１】
0004826832.tif 000002
【図２】
0004826832.tif 000003
【図３】
0004826832.tif 000004
【図４】
0004826832.tif 000005
【図５】
0004826832.tif 000006
【図６】
0004826832.tif 000007
【図７】
0004826832.tif 000008
【図８】
0004826832.tif 000009
【図９】
0004826832.tif 000010
【図１０】
0004826832.tif 000011
【図１１】
0004826832.tif 000012
【図１２】
0004826832.tif 000013
【図１３】
0004826832.tif 000014
【図１４】
0004826832.tif 000015
【図１５】
0004826832.tif 000016
【図１６】
0004826832.tif 000017
【図１７】
0004826832.tif 000018
【図１８】
0004826832.tif 000019
【図１９】
0004826832.tif 000020
【図２０】
0004826832.tif 000021
【図２１】
0004826832.tif 000022
【図２２】
0004826832.tif 000023
【図２３】
0004826832.tif 000024
【図２４】
0004826832.tif 000025
【図２５】
0004826832.tif 000026
【図２６】
0004826832.tif 000027
【図２７】
0004826832.tif 000028